(57)【要約】【課題】  遠心機を分析装置に一体に組み込む場合に、小型化を図りつつ測定作業の簡素化、自動化を実現する。【解決手段】  検体を搭載するサンプルトレイ２と、検体を遠心分離する遠心機７と、検体を所定量分注する分注機構６を備え、検体の分析処理を行う装置において、遠心機７には検体が分注される円筒状の分離容器71をセットし、分注機構６はサンプルトレイ２と遠心機７の間を移動可能であり、該分注機構６によりサンプルトレイ２に搭載した検体の所定量を遠心機７の分離容器71に分注し、該分離容器71内で遠心分離した後の検体の一部を吸引するよう構成されてなる。【選択図】      図２
2004361396.tif 000002
【特許請求の範囲】
【請求項１】
検体を搭載するサンプルトレイと、検体を遠心分離する遠心機と、検体を所定量分注する分注機構を備え、検体の分析処理を行う遠心機内蔵型分析装置において、
前記遠心機には前記検体が分注される円筒状の分離容器をセットし、前記分注機構は前記サンプルトレイと前記遠心機の間を移動可能であり、該分注機構により前記サンプルトレイに搭載した検体の所定量を前記遠心機の分離容器に分注し、該分離容器内で遠心分離した後の検体の一部を吸引するよう構成されてなることを特徴とする遠心機内蔵型分析装置。
【請求項２】
前記サンプルトレイの検体搭載数と、前記遠心機の分離容器セット数とが一致していることを特徴とする請求項１に記載の遠心機内蔵型分析装置。
【請求項３】
前記サンプルトレイには、前記検体の測定項目に対応して未使用の分析素子が隣接して搭載されていることを特徴とする請求項１または２に記載の遠心機内蔵型分析装置。
【請求項４】
前記分離容器はチューブであることを特徴とする請求項１，２または３に記載の遠心機内蔵型分析装置。
【請求項５】
前記分注機構は液面検出を備え、それによって空検出または必要量に満たない検体分注が検出された場合、警報を発することを特徴とする請求項１に記載の遠心機内蔵型分析装置。
【請求項６】
前記分注機構は、点着部とサンプルトレイと遠心機間を同一直線上で移動することを特徴とする請求項１に記載の遠心機内蔵型分析装置。
【発明の詳細な説明】
【技術分野】
【０００１】
本発明は、血液等の検体を液状成分と有形成分とに分離する遠心機と、遠心分離後の検体の一部を受けて分析処理し、検体中の所定の生化学物質の物質濃度、イオン活量等の成分を求める生化学分析装置等の分析装置とを一体に備えてなる遠心機内蔵型分析装置に関するものである。
【背景技術】
【０００２】
例えば、血液分析を行う場合には、血液を真空採血管などの採血管に採取し、この採取検体を遠心機または濾過機構により、液状成分つまり血漿・血清と、有形成分つまり血餅（血球と血小板）に分離する前処理が必要とされる。
【０００３】
そして、上記採血管を保持したラックを装置に搭載して遠心機によって検体の遠心分離を行うとともに採血管を開封し、分離した液状成分を吸引して検査用子容器に分注する自動前処理装置が提案されている（例えば、特許文献１参照）。
【０００４】
また、分析装置と遠心機を一体化し、採取した血液を収容した特殊構造の検体容器（コンテナ）を遠心機に搬入し、遠心力で血漿が検体容器の特定部位に移動し、この検体容器を遠心機から取り出して分配部の試験エレメント上に移動させ、検体容器内に加圧ノズルを差し込んで血漿を乾式分析素子に点着し、インキュベータに搬入して呈色反応を測定するように構成した遠心機内蔵型の血液アナライザが開示されている（例えば、特許文献２参照）。
【特許文献１】特開平７−１２０４７６号公報
【特許文献２】特開平５−１０７２５１号公報
【発明の開示】
【発明が解決しようとする課題】
【０００５】
上記の特許文献１の自動前処理装置のように、採取血液が入っている採血管を遠心機に直接セットして遠心分離を実施するものでは、この遠心機が大型となり、装置のコンパクト化を図る際の障害となる。
【０００６】
つまり、採血管に近年使用されている真空採血管を用いると、そのサイズが大きく遠心機も大型となり、また、採血管をそのまま遠心機にかけた場合、これらの採血管に収容されている検体量は一定ではなく液量変動があり、分離後の液状成分（血漿・血清）のみを吸引し有形成分を吸引しないように、ノズル機構を採血管内へ挿入する制御を行うためには、分離境界面を光学的に検出するなどの検出手段を備える必要が生じるもので、制御系も複雑となり小型簡素化が難しい。
【０００７】
また、特許文献２のように、真空採血管で採血した後に使用者が検体を別容器である特殊構造の検体容器（コンテナ）に手作業で一定量分注するものでは、その分注作業が煩雑で測定作業の作業性改善、処理効率の向上面で不十分なものとなり、また、汎用の採血管、チューブなどを用いずに特殊構造の検体容器を使用することから汎用性の点で不利となる。
【０００８】
本発明はかかる点に鑑み、遠心機を分析装置に一体に組み込む場合に、小型化を図りつつ測定作業の簡素化、自動化を実現可能にした遠心機内蔵型分析装置を提供することを目的とするものである。
【課題を解決するための手段】
【０００９】
本発明の遠心機内蔵型分析装置は、検体を搭載するサンプルトレイと、検体を遠心分離する遠心機と、検体を所定量分注する分注機構を備え、検体の分析処理を行う遠心機内蔵型分析装置において、
前記遠心機には前記検体が分注される円筒状の分離容器をセットし、前記分注機構は前記サンプルトレイと前記遠心機の間を移動可能であり、該分注機構により前記サンプルトレイに搭載した検体の所定量を前記遠心機の分離容器に分注し、該分離容器内で遠心分離した後の検体の一部を吸引するよう構成されてなることを特徴とするものである。
【００１０】
また、前記サンプルトレイの検体搭載数と、前記遠心機の分離容器セット数とを一致させることが好適である。
【００１１】
前記サンプルトレイには、前記検体の測定項目に対応して未使用の分析素子を隣接して搭載するのが好適である。
【００１２】
前記分離容器はチューブが好適に使用され、その他、所定量の検体を収容し遠心分離するのに適した汎用容器が使用される。
【００１３】
また、前記分注機構は液面検出を備え、それによって空検出または必要量に満たない検体分注が検出された場合、警報を発するのが好ましい。
【００１４】
前記分注機構は、点着部とサンプルトレイと遠心機間を同一直線上で移動するのが好適である。
【００１５】
本発明における分析処理は、乾式分析素子を用いた乾式方式または反応容器を用いた湿式方式のいずれを採用してもよい。
【発明の効果】
【００１６】
上記のような本発明によれば、検体が分注される円筒状の分離容器をセットする遠心機を備え、サンプルトレイと遠心機の間が移動可能な分注機構により、前記サンプルトレイに搭載した検体の所定量を遠心機の分離容器に分注するとともに、遠心分離した検体の一部を吸引するよう構成したことにより、遠心機には分離容器を搭載することでこの遠心機の小型化が図れる一方、サンプルトレイに搭載する採血管などの検体容器としては任意のものを使用できる。
【００１７】
また、分離容器に分注した一定量の検体（全血）を遠心分離するため、液状成分（血漿）と有形成分（血餅）との境界位置が推測でき、分離された液状成分のみを吸引するように制御することが境界面の検出を行うことなく容易に可能となり、遠心機および分注機構の小型化・簡素化が図れる。
【００１８】
また、サンプルトレイの検体搭載数と、遠心機の分離容器セット数とを一致させると、遠心前後の関係がわかりやすく、誤操作が防止できる。
【発明を実施するための最良の形態】
【００１９】
以下、本発明の実施の形態を図面に沿って説明する。この実施形態では生化学分析装置による遠心機内蔵型分析装置の例であり、図１は一実施形態の生化学分析装置の概略機構を示す部分断面正面図、図２は生化学分析装置の要部機構の平面図である。
【００２０】
図１および図２により遠心機内蔵型生化学分析装置１の全体構成を説明する。この生化学分析装置１は、装置本体１００に、サンプルトレイ２、点着部３、第１のインキュベータ４、第２のインキュベータ５、分注機構６、遠心機７、不図示の素子搬送機構、移送機構８、チップ廃却部９、素子廃却機構１０などを一体に備え、血液（全血）を検体として乾式分析素子１２を用いて分析するものである。
【００２１】
サンプルトレイ２は円形で、検体を収容した検体容器１１（採血管：例えば外径１３〜１６mm、長さ７５〜１００mm）、未使用の乾式分析素子１２（比色タイプの乾式分析素子および電解質タイプの乾式分析素子）を収容した素子カートリッジ１３、消耗品（ノズルチップ１４、希釈液容器１５、混合カップ１６および参照液容器１７）を搭載する。なお、検体容器１１は検体アダプタ１８を介して搭載され、ノズルチップ１４はチップラック１９に多数収納されて搭載される。
【００２２】
点着部３は、サンプルトレイ２の中心線の延長上に配置され、搬送された乾式分析素子１２に検体すなわち血液を遠心分離した液状成分（血漿・血清）の点着が行われるもので、分注機構６によって比色測定タイプの乾式分析素子１２には検体を、電解質タイプの乾式分析素子１２には検体と参照液を点着する。この点着部３に続いてノズルチップ１４が廃却されるチップ廃却部９が配置されている。
【００２３】
第１のインキュベータ４は円形で、チップ廃却部９の延長位置に配置され、比色タイプの乾式分析素子１２を収容して所定時間恒温保持し、その試薬と検体の特定成分との呈色反応の比色測定を行う。第２のインキュベータ５（図２参照）は、点着部３の側方における隣接位置に配設され、電解質タイプの乾式分析素子１２を収容して所定時間恒温保持し、乾式イオン選択電極の２個１組からなる電極対に点着された検体中に含まれる特定イオンの活量を、参照液を用いてポテンシオメトリで電位差測定を行う。
【００２４】
不図示の素子搬送機構は、前記サンプルトレイ２の内部に配設され、このサンプルトレイ２の中心と第１のインキュベータ４の中心とを結び、点着部３およびチップ廃却部９を通る直線状の素子搬送経路Ｒ（図２）に沿って、乾式分析素子１２をサンプルトレイ２から点着部３へ、さらに第１のインキュベータ４へ搬送する素子搬送部材（搬送バー）を備える。移送機構８は点着部３を兼ねて設置され、点着部３から第２のインキュベータ５へ、素子搬送経路Ｒと直交する方向に、電解質タイプの乾式分析素子１２を移送する。
【００２５】
分注機構６は上部に配設され、昇降移動する分注ノズル４５が前述の素子搬送経路Ｒと同一直線上を、少なくともチップ廃却部９から遠心機７まで移動し、検体（全血）の分注、検体（血漿）および参照液の点着、希釈液による検体の希釈混合を行う。分注ノズル４５は、先端にノズルチップ１４を装着し、該ノズルチップ１４内に検体、参照液等を吸引し吐出するもので、その吸引吐出を行う不図示のシリンジ手段が付設され、使用後のノズルチップ１４はチップ廃却部９で外されて落下廃却される。
【００２６】
遠心機７は、サンプルトレイ２の点着部３と反対側に隣接して配置され、市販の小型円筒状のチューブ（例えば外径３〜１０mm、長さ３０〜５０mm）などによる円筒状の分離容器７１がセットされ、このセットされた分離容器７１に分注機構６によって検体（全血）が規定量分注され、その遠心分離を行い、分離後の液状成分（血漿・血清）が分注機構６によって点着用に吸引される。
【００２７】
素子廃却機構１０（図２参照）は第１のインキュベータ４に付設され、測定後の比色タイプの乾式分析素子１２を第１のインキュベータ４の中心部に押し出して落下廃棄する。なお、上記素子搬送機構によって廃却することもできる。また、第２のインキュベータ５で測定した後の電解質タイプの乾式分析素子１２は、前記移送機構８によって廃却穴６９に廃棄される。
【００２８】
各部の機構を具体的に説明する。まず、サンプルトレイ２は、正転方向および逆転方向に回転駆動される円盤状の回転ディスク２１と、その中央部の円盤状の非回転部２２とを有する。
【００２９】
回転ディスク２１には、図２に示すように、各検体を収容した採血管等の検体容器１１を検体アダプタ１８を介して保持するＡ〜Ｅの５つの検体搭載部２３と、これに隣接して各検体の測定項目に対応して通常複数の種類が必要とされる未使用の乾式分析素子１２を積み重ねた状態で収容した素子カートリッジ１３を保持する５つの素子搭載部２４と、多数のノズルチップ１４を保持孔に並んで収容したチップラック１９を保持する２つのチップ搭載部２５と、希釈液を収容した３つの希釈液容器１５を保持する希釈液搭載部２６と、希釈液と検体とを混合するための混合カップ１６（多数のカップ状凹部が配置された成形品）を保持するカップ搭載部２７とが円弧状に配置されている。
【００３０】
また、非回転部２２には、素子搬送経路Ｒの延長上で分注ノズル４５の移動範囲に、参照液を収容した参照液容器１７を保持する筒状の参照液搭載部２８を備え、この参照液搭載部２８には、参照液容器１７の開口部を開閉する蒸発防止蓋３５（図１）が設置されている。
【００３１】
蒸発防止蓋３５は、下端が非回転部２２に揺動可能に枢支された揺動部材３７に保持され、閉方向に付勢されている。揺動部材３７の上端係止部３７ａが分注機構６の移動フレーム４２の下端角部４２ａと当接可能であり、参照液の吸引時に近接移動した移動フレーム４２により揺動部材３７が開方向に揺動され、蒸発防止蓋３５が参照液容器１７を開口して分注ノズル４５による参照液吸引が可能となる。その他の状態では蒸発防止蓋３５が参照液容器１７の開口部を閉塞して参照液の蒸発を防止し、その濃度変化による測定精度の低下を阻止する。
【００３２】
前記回転ディスク２１は、外周部が支持ローラ３１で支持され、中心部が不図示の支持軸に回転自在に保持されている。また、回転ディスク２１の外周には、不図示のタイミングベルトが巻き掛けられ、駆動モータによって正転方向または逆転方向に回転駆動される。非回転部２２は上記支持軸に回転不能に取り付けられている。
【００３３】
前記素子カートリッジ１３は、上方から未使用の乾式分析素子１２が混在状態で通常複数枚重ねられて挿入され、前記素子搭載部２４に装填されると、素子搬送面と同一高さに最下端部の乾式分析素子１２が位置し、最下端部の前面側には１枚の乾式分析素子１２のみが通過し得る開口が、後面側には素子搬送部材が挿通可能な開口が形成されている。なお、乾式分析素子１２の下面に付設されたバーコード等によるロット番号などが素子カートリッジ１３の下方から読み取れるように底面に窓部が形成されている。
【００３４】
また、前記検体アダプタ１８は筒状に形成され、上部から検体容器１１が挿入される。この検体アダプタ１８は、不図示の識別部を有し、検体の種類（処理情報）、検体容器１１の種類（サイズ）等の情報が設定され、測定の初期時点でサンプルトレイ２の外周部に配設された識別センサ３０（図２）によってその識別が読み取られ、検体の希釈の有無、血漿濾過の有無などが判別されると共に、検体容器１１のサイズに伴う液面変動量が算出され、それに応じた処理制御が行われる。
【００３５】
遠心機７は、モータ７３によって回転駆動される回転台７２を備え、この回転台７２には検体が分注される円筒状の分離容器７１を保持する分離容器搭載部７４が複数配設されている。この分離容器搭載部７４は、詳細は図示してないが、遠心分離用回転時には保持した分離容器７１の下端部が外周側に移動するように傾動可能に設置されている。また、回転台７２にセットされる分離容器７１の搭載数は、サンプルトレイ２に搭載される検体容器１１の搭載数と同一であり、１対１に対応する表示Ａ〜Ｅが施されている。分離容器７１は使い捨てであり、オペレーターによって検体に対応してセットされる。
【００３６】
上記分離容器７１に分注機構６の分注ノズル４５によってサンプルトレイ２の検体容器１１から検体（全血）が規定量分注される際には、この分注位置にある分離容器７１は分注機構６の素子搬送経路Ｒの延長上に位置する。
【００３７】
そして、上記回転台７２の回転駆動は、分離容器７１に分注された検体の遠心分離を行うための高速回転と、分注位置に所定の分離容器搭載部７４を停止させる低速回転駆動とを行うように制御される。つまり、分離容器７１への検体の分注時と、遠心分離後の検体の液状成分が吸引される際に分注位置に停止される。その制御は制御ユニットにより、サンプルトレイ２、分注機構６などの作動と連係して行われる。
【００３８】
点着部３および移送機構８は、サンプルトレイ２と第１のインキュベータ４との間に素子搬送経路Ｒと直交する方向に長い支持台６１を備え、その上に移動可能に摺動枠６２が設置されている。この摺動枠６２には、点着用開口が形成された第１素子押え６３および第２素子押え６４が隣接して一体に移動可能に装着されている。第１素子押え６３（第２素子押え６４も同様）は、支持台６１に面する底面に、前記素子移動経路Ｒに沿って乾式分析素子１２が通過する凹部を有する。また、摺動枠６２は、一端部がガイドバー６５に案内され、他端部側の長溝６２ａにピン６６が係合され、さらに、ラックギヤ６２ｂに駆動モータ６８の駆動ギヤ６７が噛合して移動される。支持台６１には、第２のインキュベータ５および廃却穴６９が設置されている。
【００３９】
そして、図２のように、第１素子押え６３が点着部３に位置している際には、点着後の比色タイプの乾式分析素子１２は素子搬送機構によって押し出されて第１のインキュベータ４に移送される。一方、電解質タイプの乾式分析素子１２への点着が行われると、摺動枠６２が移動されて点着後の乾式分析素子１２は第１素子押え６３に保持されたまま支持台６１上を滑るように第２のインキュベータ５に移送され、電位差測定が行われる。その際には、第２素子押え６４が点着部３（点着位置）に移動し、その後に搬送される比色タイプの乾式分析素子１２に対する検体の点着および第１のインキュベータ４への搬送が可能である。第２のインキュベータ５での測定が完了すると、摺動枠６２がさらに移動されて測定後の乾式分析素子１２を廃却穴６９に移送して落下廃却する。
【００４０】
なお、比色タイプの乾式分析素子１２を搬送する際には第２素子押え６４を点着部３に移動させておき、電解質タイプの乾式分析素子１２が搬送されるときのみ、第１素子押え６３を点着部３に移動させるようにしてもよい。
【００４１】
分注機構６（図１）は、固定フレーム４０の水平ガイドレール４１に、横方向に移動可能に保持された移動フレーム４２を備え、この移動フレーム４２に昇降移動可能に２本の分注ノズル４５が設置されている。移動フレーム４２には中央に縦ガイドレール４３が固着され、この縦ガイドレール４３の両側に２つのノズル固定台４４が摺動自在に保持されている。ノズル固定台４４の下部には、それぞれ分注ノズル４５の上端部が固着され、上部に上方に延びる軸状部材が駆動伝達部材４７に挿通されている。ノズル固定台４４と駆動伝達部材４７との間に介装された圧縮バネにより、ノズルチップ１４の嵌合力を得るようになっている。ノズル固定台４４は駆動伝達部材４７と一体に上下移動可能であると共に、分注ノズル４５の先端部にノズルチップ１４を嵌合する際に、圧縮バネの圧縮でノズル固定台４４に対して駆動伝達部材４７が下降移動可能である。上記駆動伝達部材４７は、上下のプーリ４９に張設されたベルト５０に固定され、不図示のモーターによるベルト５０の走行に応じて上下移動する。なお、ベルト５０の外側部位には、バランスウェイト５１が取り付けられ、非駆動時の分注ノズル４５の下降移動が防止される。
【００４２】
また、移動フレーム４２は不図示のベルト駆動機構によって横方向に駆動され、２つのノズル固定台４４は独自に上下移動するように、その横移動および上下移動が制御され、２つの分注ノズル４５は、一体に横移動すると共に、独自に上下移動するようになっている。例えば、一方の分注ノズル４５は検体用であり、他方の分注ノズル４５は希釈液用および参照液用である。
【００４３】
特に、遠心分離後の吸引時における分注ノズル４５の高さ制御は、分離容器７１の上部に分離した液状成分（血漿）のみを吸引し、有形成分を吸引しないように行われる。
【００４４】
両分注ノズル４５は棒状に形成され、内部に軸方向に延びるエア通路が設けられ、下端にはピペット状のノズルチップ１４がシール状態で嵌合される。この分注ノズル４５にはそれぞれ不図示のシリンジポンプ等に接続されたエア分離容器が連結され、吸引・吐出圧が供給される。また、この吸引圧力の変化に基づき検体等の液面検出が行えるようになっている。
【００４５】
チップ廃却部９は、搬送経路Ｒを上下方向に交差して設けられ、上部材８１および下部材８２を備える。このチップ廃却部９における支持台６１には、楕円形に開口された落下口８３が形成されている。上部材８１は支持台６１の上面に固着され、落下口８３の直上部位には係合切欠き８４が設けられ、下部材８２は支持台６１の下面に落下口８３の下方を囲むように筒状に形成され、落下するノズルチップ１４をガイドするようになっている。
【００４６】
そして、ノズルチップ１４が装着されている分注ノズル４５を、上部材８１内に下降させてから横方向に移動させ、その係合切欠き８４にノズルチップ１４の上端を係合してから、分注ノズル４５を上昇移動させてノズルチップ１４を抜き取り、外れたノズルチップ１４は落下口８３を通して落下廃却される。
【００４７】
比色測定を行う第１のインキュベータ４は、外周部に円環状の回転部材８７を備え、この回転部材８７は内周下部に固着された傾斜回転筒８８が下部のベアリング８９に支持されて回転自在である。回転部材８７の上部に上位部材９０が一体に回転可能に配設されている。上位部材９０の底面は平坦であり、回転部材８７の上面には円周上に所定間隔で複数（図１の場合１３個）の凹部が形成されて両部材８７，９０間にスリット状空間による素子室９１が形成され、この素子室９１の底面の高さは搬送面の高さと同一に設けられている。また、傾斜回転筒８８の内孔は測定後の乾式分析素子１２の廃却孔９２に形成され、素子室９１の乾式分析素子１２がそのまま中心側に移動されて落下廃却される。
【００４８】
上位部材９０には図示しない加熱手段が配設され、その温度調整によって素子室９１内の乾式分析素子１２を所定温度に恒温保持する。また上位部材９０には素子室９１に対応して乾式分析素子１２のマウントを上から押えて検体の蒸発防止を行う不図示の押え部材が配設されている。上位部材９０の上面には保温カバー９４が配設される一方、この第１のインキュベータ４は全体が遮光カバー９５によって覆われる。さらに、回転部材８７の各素子室９１の底面中央には測光用の開口９１ａが形成され、この開口９１ａを通して図２に示す位置に配設された測光ヘッド９６による乾式分析素子１２の反射光学濃度の測定が行われる。第１のインキュベータ４の回転駆動は、不図示のベルト機構により行われ、往復回転駆動される。
【００４９】
廃却機構１０は、外周側から中心方向に素子室９１内に進退移動する廃却バー１０１を備えている。この廃却バー１０１は後端部が水平方向に走行するベルト１０２に固定され、駆動モータ１０３の駆動によるベルト１０２の走行に応じ、素子室９１から測定後の乾式分析素子１２を押し出して廃却する。なお、廃却孔９２の下方には測定後の乾式分析素子１２を回収する回収箱が配設される。
【００５０】
また、イオン活量を測定する第２のインキュベータ５は、前述の摺動枠６２の第１素子押え６３が上位部材となり、その底部の凹部によって測定本体９７の上面との間に１つの素子室が形成される。この第２のインキュベータ５には、図示しない加熱手段が配設され、その温度調整によって乾式分析素子１２のイオン活量を測定する部分を所定温度に恒温加熱する。さらに、測定本体９７の側辺部にはイオン活量測定のための３対の電位測定用プローブ９８が出没して乾式分析素子１２のイオン選択電極に接触可能に設けられている。
【００５１】
そして、上記のような生化学分析装置１では、各機構の作動は不図示の制御ユニットによって、そこに登録されている制御プログラムに基づいて各測定動作、および測定に基づく分析結果の演算処理が行われる。
【００５２】
生化学分析装置１の全体動作について説明する。まず、分析を行う前に、サンプルトレイ２の各搭載部２３〜２８に、各検体を収容した検体容器１１、乾式分析素子１２を装填した素子カートリッジ１３、ノズルチップ１４を収容したチップラック１９、混合カップ１６、希釈液容器１５および参照液容器１７を搭載し、さらに、遠心機７の分離容器搭載部７４に空の分離容器７１をセットして、測定準備を行う。
【００５３】
その後、分析処理をスタートする。まず、遠心機７の分離容器７１に検体を分注する。そのために、サンプルトレイ２を回転させて分注機構６の分注ノズル４５の下方にチップラック１９のノズルチップ１４を移動させ、分注ノズル４５に装着する。続いて該当する検体容器１１と分離容器７１とが素子搬送経路Ｒに位置するようにサンプルトレイ２および回転台７２を駆動する。検体容器１１上で分注ノズル４５を下降してノズルチップ１４に検体を吸引し、分注ノズル４５を遠心機７の分離容器７１上に移動して、規定量の検体を分離容器７１に分注する。
【００５４】
そして、遠心機７の回転台７２を高速回転駆動して遠心分離を実施し、分離容器７１内の検体を上部の液状成分（血漿・血清）と底部の有形成分とに分離させる。遠心分離の動作時間の設定変更が可能であり、予め検体粘度等が通常と異なるものの場合にはそれに応じて変更する。この遠心分離時間を任意にセットできることにより、使用血液の特異性にも対応でき、分離に要する時間が異なる場合に不必要に長時間の遠心分離を不要としている。
【００５５】
次に、サンプルトレイ２を回転させて測定する検体の素子カートリッジ１３を点着部３に対応する素子取り出し位置に停止させ、乾式分析素子１２を素子搬送機構によって素子カートリッジ１３から取り出して点着部３に搬送する。なお、点着部３に搬送される前に、乾式分析素子１２に付与された分析情報が読み取られ、その後の動作が制御される。
【００５６】
そして、測定項目が比色測定の場合は、第１素子押え６３が点着部に位置している状態で乾式分析素子１２の搬送を行う。また、分離容器７１内の分離後の液状成分（血漿）を乾式分析素子１２に点着するために、分注機構６の分注ノズル４５に新たなノズルチップ１４を装着し、遠心機７の分離容器７１上に移動し分注ノズル４５を下降させてノズルチップ１４に検体の一部（血漿）を吸引してから、分注ノズル４５を点着部３に移動して、乾式分析素子１２に検体を点着する。
【００５７】
上記血漿を吸引する場合には、分注ノズル４５の吸引高さを制御して有形成分の吸引を伴うことがないように、ノズルチップ１４を分離容器７１内に挿入する。この吸引高さの制御は、分離容器７１に分注した検体量（血液量）が一定であることから、その成分比率の予測に応じて制御し、また、その予測成分比率の設定の変更が可能である。一定量の全血を遠心分離した後の液状成分と有形成分との比率（血餅率）は、特に人の血液検体においては、ある範囲で一定であり、それに応じて血漿量が推測でき、吸引高さの制御が行える。
【００５８】
すなわち人の血液中の有形成分の比率は、通常は４４〜６７％である。従って、分注機構６は、液状成分（血漿）の部分である上部の１００−６７＝３３％の部分と境界面との余裕を見込んだ範囲で、分注ノズル４５の先端のノズルチップ１４の吸引高さを制御し、分離容器７１の底部に分離された有形成分（血餅）を吸引せずに液状成分のみの吸引を行う。その制御の際、検体の特異性に応じ、予測成分比率の設定を変更し、分離境界面の変動に応じて挿入高さを変更する制御が行えるようになっている。
【００５９】
また、血漿吸引前に、分離容器７１内の液面検出を行って液量を求め、該分離容器７１への検体分注量が少ない場合でもまた多い場合でも、液状成分のみ吸引するように制御する。この液面検出は、ノズルチップ１４の先端よりエアを吸引するか吐出させつつ液面に接近させ、分注ノズル４５の内圧変化を測定することで液面位置を検出するものである。そして、分離容器７１内に規定量の検体の分注が行われていない場合でも、これに対応して、液量と予測成分比率に応じた血漿量（分離面位置）を推測し、吸引高さの制御が行える。
【００６０】
また、この液面検出により、検体分注が全く行えないこと、または、必要量に満たないことを、測定圧力としきい値とを比較することで検出が可能となり、この場合はアラーム等で警報を発することができる。
【００６１】
そして、検体が点着された比色タイプの乾式分析素子１２が第１のインキュベータ４に挿入される。次に、素子室９１を回転して、所定時間恒温保持した後、挿入された乾式分析素子１２を順次測光ヘッド９６の位置に移動させ、乾式分析素子１２の反射光学濃度の測定が行われる。測定終了後、測定済みの乾式分析素子１２は中心側に押し出して廃却する。測定結果を出力し、使用済みのノズルチップ１４をチップ廃却部９で分注ノズル４５から外して下方に落下廃却し、処理を終了する。
【００６２】
次いで、イオン活量の測定の場合は、電解質タイプの乾式分析素子１２を点着位置へ搬送した後、まず、一方の分注ノズル４５にノズルチップ１４を装着し、遠心機７に移動して分離容器７１より前述と同様に高さ制御して血漿を吸引する。次に、他方の分注ノズル４５にノズルチップ１４を装着し、参照液容器１７から参照液を吸引する。次いで、一方の分注ノズル４５により検体を乾式分析素子１２の一方の液供給孔に点着し、さらに、他方の分注ノズル４５により参照液を乾式分析素子１２の他方の液供給孔に点着する。
【００６３】
そして、検体および参照液が点着された乾式分析素子１２が、点着部３から第１素子押え６３と共に摺動枠６２の移動によって第２のインキュベータ５に移送され、恒温保持しつつ電位測定用プローブ９８によってイオン活量の測定を行う。測定終了後、測定後の乾式分析素子１２を摺動枠６２の移動によって廃却穴６９に移送して廃却する。そして測定結果を出力し、両方の使用済みのノズルチップ１４を両分注ノズル４５から外して廃却し、処理を終了する。
【００６４】
なお、前記サンプルトレイ２および遠心機７では、検体容器１１の搭載数と、分離容器７１のセット数とが１対１の関係になっているが、検体数以上の分離容器本数が遠心機７にセット可能に設置してもよく、また、１組のセットが行えるように構成して、さらに簡易構造の分析装置としてもよい。
【００６５】
また、検体の種類またはその測定項目が、遠心分離機能を必要としない場合には、サンプルトレイ２の検体容器１１から直接検体を吸引し、乾式分析素子１２に点着して分析を行うこともできる。これにより、他の遠心機を装置外で使用した検体でも分析が可能となる。
【００６６】
一方、遠心機７においては、分離容器７１の遠心分離を繰り返して実行可能とし、一度遠心分離した検体を再度遠心分離することも行えるようになっている。これにより、検体の異常を検出した場合等に、再度遠心分離を行うことで、新たに分離容器７１に検体の分注を行うことなく再分析が行える。
【００６７】
前述の実施形態では、乾式分析素子１２を用いた乾式方式の分析装置の例を説明したが、これに限定されるものではなく、例えば、湿式の分析装置すなわち反応容器内で試薬と検体とを混合して、両者の呈色反応に伴う測定分析を行う方式のものでもよい。
【００６８】
前述の実施形態では、円筒状の分離容器７１として市販品のチューブを使用しているが、これに限定されるものでなく、例えば検体容器１１の空容器を使用してもよい。この分離容器７１の形状は、遠心分離に適し、効率のよい円筒状の容器であれば、その底部形状は円弧状、円錐状など任意でよい。
【００６９】
また、分離容器７１の材質は、ガラス、樹脂、金属でもよく、透明・不透明のどちらでもよい。透明な分離容器７１であれば、容器内の遠心分離状態を、目視またはセンサーにて確認することができ、その情報に基づいてアラーム等の制御も可能となる。
【図面の簡単な説明】
【００７０】
【図１】本発明の一実施形態の生化学分析装置による遠心機内蔵型分析装置の概略構成を示す部分断面正面図
【図２】図１の遠心機内蔵型分析装置の要部機構の平面図
【符号の説明】
【００７１】
１    遠心機内蔵型分析装置（生化学分析装置）
２    サンプルトレイ
３    点着部
６    分注機構
７    遠心機
11    検体容器
12    乾式分析素子
14〜17    消耗品
71    分離容器
72    回転台
73    モータ
74    分離容器搭載部
【図１】
2004361396.tif 000003
【図２】
2004361396.tif 000004